(57)【要約】
【課題】　費用が安く、印刷が汚れない、名刺作成器を提供する。
【解決手段】　台紙シート２と、カード５が嵌め込まれる様な大きさを持つ複数の第１開口部４が形成され、前記台紙シート２上に固定されたセット板３と、前記第１開口部４の上方に位置する複数の第２開口部８が形成され、前記セット板３を覆い、かつ前記セット板３上に部分的に固定されたカバーシート７とを具備する。また、前記第２開口部８は、前記第１開口部４の短辺又は長辺よりも小さく形成される。
【選択図】　　　　図２
0003098990.tif 000002
【実用新案登録請求の範囲】
【請求項１】
　台紙シートと、カードが嵌め込まれる様な大きさを持つ複数の第１開口部が形成され、前記台紙シート上に固定されたセット板と、前記第１開口部の上方に位置する複数の第２開口部が形成され、前記セット板を覆い、かつ前記セット板上に部分的に固定されたカバーシートとを具備する事を特徴とする名刺作成器。
【請求項２】
　前記第２開口部は、前記第１開口部の短辺又は長辺よりも小さく形成された事を特徴とする請求項１の名刺作成器。
【請求項３】
　少なくとも前記第１開口部を除く位置において、前記台紙シートと、前記セット板との間に第１接着材を設けた事を特徴とする請求項１の名刺作成器。
【請求項４】
　前記セット板の縁部近傍と、前記カバーシートとの間に、第２接着材を設けた事を特徴とする請求項１の名刺作成器。
【請求項５】
　前記第２接着材が設けられた部分を除き、かつ、前記第１開口部および前記第２開口部が設けられた部分を除いた位置において、前記セット板の表面又は前記カバーシートの裏面に、弱接着性の接着材を設けた事を特徴とする請求項４の名刺作成器。
【考案の詳細な説明】
【考案の詳細な説明】
【技術分野】　本考案は名刺作成器に関する。
【背景技術】　従来、この種の作成器は例えば、特許文献１に示されている。この特許文献１の図１によると、パソコン１４に入力された、名刺の作成に必要なデータを出力し、プリンタ２６で印刷している。その後、カッター３０で裁断し、所定の大きさのカード型名刺を製作している。
【特許文献１】　特開平８−９０８４２号公報
【考案が解決しようとする課題】
　この様に、従来の作成器では、大掛かりなカッター３０を用意する必要があり費用が高い、第１の欠点がある。更に、大きな紙に印刷した後に、裁断するので、裁断時に、印刷が汚れる、第２の欠点がある。故に、本考案はこの様な従来の欠点を考慮し、費用が安く、印刷が汚れない、名刺作成器を提供する。
【課題を解決するための手段】
　上記課題を解決するために、請求項１の本考案では、台紙シートと、カードが嵌め込まれる様な大きさを持つ複数の第１開口部が形成され、前記台紙シート上に固定されたセット板と、前記第１開口部の上方に位置する複数の第２開口部が形成され、前記セット板を覆い、かつ前記セット板上に部分的に固定されたカバーシートとを具備する。
　請求項２の本考案では、前記第２開口部は、前記第１開口部の短辺又は長辺よりも小さく形成された。
　請求項３の本考案では、少なくとも前記第１開口部を除く位置において、前記台紙シートと、前記セット板との間に第１接着材を設けた。
　請求項４の本考案では、前記セット板の縁部近傍と、前記カバーシートとの間に、第２接着材を設けた。
　請求項５の本考案では、前記第２接着材が設けられた部分を除き、かつ、前記第１開口部および前記第２開口部が設けられた部分を除いた位置において、前記セット板の表面又は前記カバーシートの裏面に、弱接着性の接着材を設けた。
【考案を実施するための最良の形態】　以下に、図１と図２に従い、本考案の実施の形態に係る名刺作成器１を説明する。図１は、上記名刺作成器１の正面図、図２は図１のＡ１Ａ２断面図である。
　これらの図において、台紙シート２は、例えば、紙又はプラスチックのシートからなる。外形の大きさは、例えばＡ４サイズである。
　セット板３は、例えば、紙又はプラスチックのシートからなる。外形の大きさは、例えばＡ４サイズである。セット板３には、複数の第１開口部４が形成されている。
　各々の第１開口部４は、カード５（例えば、横が９０ｍｍ，縦が５５ｍｍの長方形の紙片）より、僅かに大きく形成されている。即ち、セット板３にはカード５が嵌め込まれる様な大きさを持つ複数の第１開口部４が形成されている。セット紙３を正面から見れば（図１参照）、４行×２列の第１開口部４が形成されている。
　少なくとも、上記８個の第１開口部４を除く位置において、台紙シート２の表面と、セット板３の裏面との間には、第１接着材６が設けられている。この様にして、セット板３は、台紙シート２の上に固定されている。また、カード５の上面と、セット板３の上面が面一になる様に、セット板３の厚さは決定される。
　カバーシート７は、例えば、紙又はプラスチックのシートからなる。外形の大きさは、例えばＡ４サイズである。カバーシート７には、複数の第２開口部８が形成されている。
　第２開口部８は、第１開口部４の上方に位置する様に、例えば、横長の長方形状に形成されている。また、第２開口部８の縦の大きさは、セット板３に形成された第１開口部４の短辺（縦の大きさ）よりも、小さく形成されている（図１参照）。
　この様に構成する事により、カード５の上の部分には、カバーシート７が部分的に位置し（これを押さえ部分９と呼ぶ）、カード５を上方から押さえる。同様に、カード５の下の部分には、カバーシート７が部分的に位置し（これを押さえ部分１０と呼ぶ）、カード５を上方から押さえる。
　また、上記説明と異なり、第２開口部８は、第１開口部４の上方に位置する様に、例えば、縦長の長方形状に形成されても良い。そして、第２開口部８の横の大きさは、セット板３に形成された第１開口部４の長辺（横の大きさ）よりも、小さく形成される。
　この様に構成する事により、カード５の右の部分には、カバーシート７が部分的に位置し（これを押さえ部分と呼ぶ）、カード５を上方から押さえる。同様に、カード５の左の部分には、カバーシート７が部分的に位置し（これを押さえ部分と呼ぶ）、カード５を上方から押さえる。この様に、第２開口部８は、第１開口部４の短辺又は長辺よりも小さく形成されている。
　セット板３の縁部近傍（例えば、図１の様に、下辺近傍）におけるセット板３の表面と、カバーシート７との間に、第２接着材１１が設けられている。上記構成により、カバーシート７は、下辺を固定辺として、めくられたり、閉じられる（即ち、セット板３を覆う）事ができる。
　この様に、第１開口部４の上方に位置する複数の第２開口部８が形成され、かつ、セット板３を覆い、かつ、セット板３の上に部分的に固定されたカバーシート７が設けられている。
　また、好ましくは、上記第２接着材１１が設けられた部分を除き、かつ、第１開口部４および第２開口部８が設けられた部分を除いた位置において、セット板３の表面又はカバーシート７の裏面に、弱接着性の接着材１２が設けられても良い。
　上記構成により、カード５が第１開口部４に嵌め込まれ、カバーシート７がセット板３の上を覆った時、カバーシート７はセット板３に対し、静止状態を続ける。その結果、この名刺作成器１をプリンタに挿入した時、カバーシート７はカード５を保持した状態を続け、カード５は、第１開口部４に嵌め込まれた状態を維持するので、綺麗な印刷ができる。以上の部品により、この名刺作成器１が構成されている。
　次に、再び図１と図２に従い、この名刺作成器１の動作を説明する。使用者は最初に、複数枚のカード５を準備する。このカード５は市販されているものでも良いし、印刷業者から購入しても良い。
　次に、使用者は名刺作成器１に設けられたカバーシート７をめくる。使用者はセット板３に形成された第１開口部４の中に、８枚のカード５を嵌め込む。使用者は、セット板３に対し、カバーシート７を閉じる（覆う）。
　そして使用者は、プリンタ（図示せず）の紙挿入口に対し、この名刺作成器１を挿入する。プリンタに電気的接続されたパソコン（図示せず）は、名刺の作成に必要なデータを、プリンタに出力する。
　その結果、このプリンタは、名刺作成器１に保持された各カード５に対し、第２開口部８を介して、所定の印刷を行った後、名刺作成器１を排出する。
　次に使用者は、名刺作成器１に設けられたカバーシート７をめくる（開く）。この時、接着材１２は弱接着性であるので、カバーシート７は容易に、めくられる。
　そして使用者は、例えば、この名刺作成器１を裏返して、裏面を軽くたたく等の動作を行う事により、各カード５は容易に取り出される。
【考案の効果】
　請求項１の本考案では、台紙シートと、カードが嵌め込まれる様な大きさを持つ複数の第１開口部が形成され、前記台紙シート上に固定されたセット板と、前記第１開口部の上方に位置する複数の第２開口部が形成され、前記セット板を覆い、かつ前記セット板上に部分的に固定されたカバーシートとを具備する。この様に、予め裁断されたカードを、セット板の第１開口部に嵌め込んだ後に印刷するので、従来の様に、カード裁断時の印刷汚れを防止できる。また、使用者が印刷後に、カードを裁断する必要がないので、従来の様に高価なカッタを必要としなく、費用が安くて済む。
　請求項２の本考案では、前記第２開口部は、前記第１開口部の短辺又は長辺よりも小さく形成された。上記構成により、カードの上、下部分又は左、右部分を上方からカバーシートが押さえるので、カードが第１開口部の中に安定して保持されるから、精確な印刷ができる。
　請求項３の本考案では、少なくとも前記第１開口部を除く位置において、前記台紙シートと、前記セット板との間に第１接着材を設けた。上記構成により、台紙シートと、セット板の第１開口部とにより、強固な凹部が形成されるので、その中にカードが安定して保持される。
　請求項４の本考案では、前記セット板の縁部近傍と、前記カバーシートとの間に、第２接着材を設けた。上記構成により、カバーシートはセット板に部分的に固定されるので、カバーシートの他の部分を容易に開いたり、閉めたりする事ができる。
　請求項５の本考案では、前記第２接着材が設けられた部分を除き、かつ、前記第１開口部および前記第２開口部が設けられた部分を除いた位置において、前記セット板の表面又は前記カバーシートの裏面に、弱接着性の接着材を設けた。上記構成により、カード５が第１開口部４に嵌め込まれ、カバーシート７がセット板３の上を覆った時、カバーシート７はセット板３に対し、静止状態を続ける。その結果、この名刺作成器１をプリンタに挿入した時、カバーシート７はカード５を保持した状態を続け、カード５は、第１開口部４に嵌め込まれた状態を維持するので、綺麗な印刷ができる。
【図面の簡単な説明】
【図１】　本考案の実施の形態に係る名刺作成器１の正面図である。
【図２】　図１のＡ１Ａ２断面図である。
【符号の説明】
　２　台紙シート
　３　セット板
　４　第１開口部
　５　カード
　７　カバーシート
　８　第２開口部
【図１】
0003098990.tif 000003
【図２】
0003098990.tif 000004